Podtech/llm-jp-corpus-v4-ja_patent huggingface dataset:
(57)【要約】      （修正有）【課題】簡単に脱着でき、曲線形状の手摺にフィットする手摺カバーを提供する。【解決手段】手摺の外周面に着脱可能に装着される手摺カバー本体１の両側縁部に設けられた手摺への装着時に両側縁部同士を接合する接合手段と、手摺の外周面に対して滑り止め効果のある素材２を手摺カバー本体１内面に装着させ、手摺カバー本体１の両側縁部近傍から縁部に向かって切込み３を入れて縫合している。【選択図】図１
0003208621.tif 000002
【実用新案登録請求の範囲】
【請求項１】
手摺の外周面に着脱可能に装着される手摺カバーであって、該カバー本体の両側縁部に設けられ、前記手摺への装着時に前記両側縁部同士を接合する接合手段と、前記手摺の外周面に対して滑り止め効果のある素材をカバー本体内面に装着させ、前記カバー本体の両側縁部近傍から縁部に向かって切込みを入れて縫合していることを特徴とする手摺カバー。
【考案の詳細な説明】
【技術分野】
【０００１】  本考案は手摺のカバーに関するもので、とりわけ曲線形状の手摺にフィットする機能を有する手摺カバーを提供する。
【背景技術】
【０００２】  手摺は多くの場所に設置されている。その手摺に滑り止め、防寒、手摺本体の防傷等の目的でカバーが取り付けられている。
特許文献１には、滑り防止及び手触り感覚に優れて耐久性があり、凹凸パターンのデザイン変更を容易に行うことができる手摺カバーが開示されている。また、非特許文献１にはゴルフカート用手摺カバーが開示されている。手摺りにクッションを内部に保持するための指定スポンジを取付け、その上から生地カバーを巻き付けるようにかぶせ、縫い付けてある面ファスナーで固定するものであり、曲線部分の皺を回避する機構はなかった。
【先行技術文献】
【特許文献】
【０００３】
【特許文献１】特開２０１５−１６３７４９号公報
【非特許文献】
【０００４】
【非特許文献１】２０１６年９月１６日掲載のウエブサイト  ｈｔｔｐ：／／ｓｈｏｒｉｔｓｕｇｏｌｆ．ｃｏｍ／ｏｎｌｉｎｅｓｈｏｐ／ａｃｃｅｓｓｏｒｙ／ｈａｎｄｒａｉｌ−ｃｏｖｅｒ．ｈｔｍｌ
【考案の概要】
【考案が解決しようとする課題】
【０００５】金属パイプの手摺に防寒、滑り止め、手摺自体の保護等の目的で、手摺カバーが用いられている。手摺は通常直線部分と曲線形状の部分からなっている。直線部分のカバーは円周方向に伸縮性のある素材を用いることによって、簡単に脱着できるカバーが提供できる。一方、曲線形状の部分をカバーする場合には皺が生じ、外観が良くないばかりでなく、機能的にもズレや曲がりができてしまうといった課題があった。曲線形状の手摺にフィットするカバーを提供することが本考案の課題である。
【課題を解決するための手段】
【０００６】本考案は、手摺の外周面に着脱可能に装着される手摺カバーであって、該カバー本体の両側縁部に設けられた前記手摺への装着時に前記両側縁部同士を接合する接合手段と、前記手摺の外周面に対して滑り止め効果のある素材をカバー本体内面に装着させ、前記カバー本体の両側縁部近傍から縁部に向かって切込みを入れて縫合していることを特徴とする手摺カバーに関するものである。
【考案の効果】
【０００７】本考案は、曲線形状の手摺に皺を少なくフィットするカバーを提供できる。
【図面の簡単な説明】
【０００８】
【図１】  本考案の構成図である。
【図２】  本考案のカバーを手摺に装着したときの断面構成図である。
【図３】  本考案のカバー作成の手順工程フローの図である。
【図４】  本考案の実施例の途中状態の写真である。
【図５】  本考案のカバーを手摺に装着した状態ものと、従来品との比較写真とである。
【考案を実施するための形態】
【０００９】  本考案の手摺カバーの作成方法を以下に示した。  カバー１に用いる素材は、防水性があり、表面の手触りが良く滑らかで伸縮性が少なく縫い加工が簡単で、耐久性に優れたポリ塩化ビニルのような合成皮革素材が好適に用いられ、曲線状に切り抜いた生地の内側と外側におよそ１０−１５ｍｍ間隔で５−１０ｍｍ程度の切込み３を入れて、左右の生地を縫い合わせる。そして縫い合わせ部分の強度の向上と滑り止め効果を出すために、縫い合わせた裏面側に滑り止め素材２を縫い合わせ部分に縫いつける。そして最後にファスナー４を縫い付ける。
【実施例】
【００１０】  本考案の手摺カバーの制作工程図を図３に示した。手摺の曲線に合わせた曲率でカバー本体の素材を裁断し、曲線部分の内側及び外側の両方に切り込みを入れる。次いで、裁断された２枚を重ね、外側部分を縫い付ける。
縫目に沿って、滑り止め部材を装着固定し、ファスナーを内側に縫いつける。
本考案の実施例の写真を示した。図４はファスナーを取り付ける前のカバーの写真であり、裏側の写真を示した。
本考案のカバーを、曲線手摺に装着した写真を図５に示した。この写真に示すように、従来品では曲線部分に多くの皺があるのに対して、本考案のカバーでは曲線部分の皺が回避されていることが明らかである。
【産業上の利用可能性】
【００１１】  曲線形状の手摺のカバーに利用できるので、例えばゴルフ場で使われるゴルフカートの手摺のカバーに利用できる。
【符号の説明】
【００１２】  １  手摺カバー本体
２  滑り止め材料
３  切込み
４  ファスナー
５  手摺断面
【図１】
0003208621.tif 000003
【図２】
0003208621.tif 000004
【図３】
0003208621.tif 000005
【図４】
0003208621.tif 000006
【図５】
0003208621.tif 000007
(57)【要約】      （修正有）【課題】モニターディスプレイを搭載した商品自動販売機を提供する。【解決手段】自動販売機本体の筐体５の上面にモニターボックス６が固定されている。モニターボックスは前面に開口を有する。モニターボックス内には、モニターディスプレイ７が収容されており、前面開口を通して視認される。前面開口は透明である。モニターディスプレイ７は、各種画像表示が可能なフラットパネルディスプレイである。モニターボックスの幅は、自動販売機本体の筐体の幅と同じである。【選択図】図１
0003208613.tif 000002
【実用新案登録請求の範囲】
【請求項１】
自動販売機本体を形成する筐体と、筐体の上面に固定されたモニターボックスとを備えた商品自動販売機であって、
自動販売機本体は、正面の側に、商品見本部と、価格表示ラベルと、商品選択ボタンと、商品払い出し口とを備えており、
モニターボックスは、正面から見た際、筐体と同じ幅であり、
モニターボックス内にはモニターディスプレイが収容されており、
モニターボックスは、前面に開口を有し、モニターディスプレイは開口を通して視認される状態で収容されていることを特徴とする商品自動販売機。
【考案の詳細な説明】
【技術分野】
【０００１】
この出願の考案は、容器入り飲料自動販売機のような飲料自動販売機に関するものである。
【背景技術】
【０００２】
従来より、容器入り飲料自動販売機のような飲料自動販売機が製造され、使用されている。
【先行技術文献】
【特許文献】
【０００３】
【特許文献１】意匠登録第０７２９３１１号公報
【特許文献２】意匠登録第０７２９３１２号公報
【非特許文献】
【０００４】
【非特許文献１】特許庁意匠課公知資料番号第ＨＨ０３０２１６７０号
【考案の概要】
【考案が解決しようとする課題】
【０００５】
商品自動販売機にモニターディスプレイを搭載する必要がある。
【課題を解決するための手段】
【０００６】
上記課題を解決するため、この出願の請求項１記載の考案は、自動販売機本体を形成する筐体と、筐体の上面に固定されたモニターボックスとを備えた商品自動販売機であって、
自動販売機本体は、正面の側に、商品見本部と、価格表示ラベルと、商品選択ボタンと、商品払い出し口とを備えており、
モニターボックスは、正面から見た際、筐体と同じ幅であり、
モニターボックス内にはモニターディスプレイが収容されており、
モニターボックスは、前面に開口を有し、モニターディスプレイは開口を通して視認される状態で収容されているという構成を有する。
【考案の効果】
【０００７】
この出願の請求項１記載の考案によれば、自動販売機本体の上側においてモニターディスプレイが配置された商品自動販売機が提供される。
【図面の簡単な説明】
【０００８】
【図１】実施形態の商品自動販売機の正面図である。
【図２】図１の商品自動販売機の左側面図である。
【図３】図１の商品自動販売機の右側面図である。
【考案を実施するための形態】
【０００９】
次に、この出願考案を実施するための形態（以下、実施形態）について説明する。
この商品自動販売機は、商品見本展示部１を備えている。商品見本展示部１は、商品見本保持台１１の上に各商品見本２を保持する構造であり、各商品見本の下側に、価格表示ラベル３と商品選択ボタン４が設けられている。自動販売機本体の筐体５の上面にはモニターボックス６が固定されている。モニターボックス６は前面に開口６０を有する。
モニターボックス６内には、モニターディスプレイ７が収容されており、前面開口６０を通して視認される。尚、前面開口６０は透明である。モニターディスプレイ７は、各種画像表示が可能なフラットパネルディスプレイである。
図１に示すように、モニターボックス６の幅は、自動販売機本体の筐体５の幅と同じである。
また、自動販売機本体の前面には、硬貨投入口８１と、釣り銭返却レバー８２と、釣銭返却口８３と、商品払い出し口８４とが設けられている。
【符号の説明】
【００１０】
１  商品見本展示部
２  商品見本保持台１１
３  商品見本
４  商品選択ボタン
５  筐体
６  モニターボックス
７  モニターディスプレイ
８１  硬貨投入口
８２  釣り銭返却レバー
８３  釣り銭返却口
８４  商品払い出し口
【図１】
0003208613.tif 000003
【図２】
0003208613.tif 000004
【図３】
0003208613.tif 000005
(57)【要約】      （修正有）【課題】ガラス戸やガラス窓等を通して室外からの直射日光や熱気や冷気等が室内の温度等環境の悪化に影響することを低減させ、省エネに役立つ遮蔽形体を提供する。【解決手段】ガラス戸５やガラス窓等の室内側の空きスペースに装飾した断熱体１をはめ込むことより成り、断熱体１が冷暖熱を遮蔽する効果を利用することにより、室内への温度環境の悪化を低減させ、住環境を調える。【選択図】図１
0003208619.tif 000002
【実用新案登録請求の範囲】
【請求項１】
ガラス戸やガラス窓等の室内側の空きスペースに装飾した断熱体をはめ込むことにより成り、断熱体が冷暖熱を遮蔽する効果を利用することにより、室内への温度環境の悪化を低減させ、住環境を調えることを特徴とする遮蔽形体。
【考案の詳細な説明】
【利用分野】
【０００１】  本考案は、日よけや熱気や冷気等を防ぎ、室内の温度等環境悪化を低減することに役立つものであり、さらには、省エネにつながることに関するものである。
【考案の概要】
【考案が解決しようとする課題】
【０００２】  カーテンやブラインドや簾等を用いて直射日光の室内への照射を遮り、室内への温度環境の悪化を防止している。しかし、それだけでは遮きれない放射熱や輻射熱が室内への温度環境を悪化させ、エアコン等の電力に負荷をかけている。【０００３】  また、外気による熱気や冷気の影響が室内への寒暖に影響し、温度等環境を悪化させ、室内の冷房や暖房のための手段を取らざるを得ないような状況になっている。
【課題を解決するための手段】
【０００４】  本考案は、住宅やビル等のガラス窓やガラス戸等の居住側の空きスペースを有効活用して、該ガラス窓や該ガラス戸等の枠に囲まれた凹み面に断熱体１や断熱体２をはめ込むことにより、室内の温度等の環境の悪化を低減させることを特徴とする遮蔽形体。
【考案の効果】
【０００５】  断熱体が有する熱気や冷気を遮蔽する効果を利用することにより、室内への温度環境の悪化を低減させることに役立つ。【０００６】  また該断熱体の仕上げ面に文様を刻んだり文様のあるシートを貼り付けたり更にはカーテンレース等を組み合わせることにより、多様な装飾ができる。【０００７】  また該ガラス窓や該ガラス戸等の該断熱体にシースルー部分を設けることにより、室内室外をみたり室外の明るさをとり入れたりすることができる。
【図面の簡単な説明】
【０００８】
【図１】断熱体両面の仕上げ面に障子紙を貼り付けた断熱体１をはめ込んだ実施例の正面図である。
【図ａ】ガラス戸とガラス面の図
【図ｂ】断熱体１と断熱体支持具の図
【図ｃ】断熱体両面の仕上げ面に障子紙貼り付けの断面組み立て部分の図
【図２】断熱体１にカーテンレースを組み合せたものをはめ込んだ実施例の正面図である。
【図ｄ】カーテンレース組み合わせの断面組み立て部分の図
【図３】断熱体２にシースルー部分を設けたものをはめ込んだ実施例の正面図である。
【図ｆ】シースルー部分の図
【符号の説明】
【０００９】１  断熱体の仕上げ面に障子紙を貼り付けた断熱体１
イ  障子紙
ロ  断熱体
ニ  糊面
２  断熱体１にカーテンレースを組み合わせた断熱体２
ハ  カーテンレース
３  ガラス
４  断熱体支持具
５  ガラス戸
６  ガラス窓
７  シースルー部分
【図１】
0003208619.tif 000003
【図ａ】
0003208619.tif 000004
【図ｂ】
0003208619.tif 000005
【図ｃ】
0003208619.tif 000006
【図２】
0003208619.tif 000007
【図ｄ】
0003208619.tif 000008
【図ｅ】
0003208619.tif 000009
【図３】
0003208619.tif 000010
【図ｆ】
0003208619.tif 000011
【手続補正書】
【提出日】平成28年11月30日(2016.11.30)
【手続補正１】
【補正対象書類名】図面
【補正対象項目名】全図
【補正方法】変更
【補正の内容】
【図１】
0003208619.tif 000012
【図２】
0003208619.tif 000013
【図３】
0003208619.tif 000014
【図４】
0003208619.tif 000015
【図５】
0003208619.tif 000016
【図６】
0003208619.tif 000017
【手続補正２】
【補正対象書類名】明細書
【補正対象項目名】０００８
【補正方法】変更
【補正の内容】
【０００８】
【図１】断熱体両面の仕上げ面に障子紙を貼り付けた断熱体１をはめ込んだ実施例の正面図である。
【図２】断熱体１の切断面組み立て部分の図である。
【図３】断熱体１にカーテンレースを組み合わせた断熱体２をはめ込んだ実施例の正面図である。
【図４】断熱体２の切断面組み立て部分の図である。
【図５】断熱体２にシースルー部分を設けたものをはめ込んだ実施例の正面図である。
【図６】断熱体２の切断面組み立て部分とシースルー切断面部分の図である。
【手続補正３】
【補正対象書類名】明細書
【補正対象項目名】０００９
【補正方法】変更
【補正の内容】
【０００９】１  断熱体１
イ  障子紙
ロ  断熱体
ニ  糊面
２  断熱体２
ハ  カーテンレース
３  ガラス
４  断熱体等の支持具
５  ガラス戸
６  ガラス窓
７  シースルー部分
(57)【要約】      （修正有）【課題】灰を外部に出さない状態を作ることができ、また、火起こしのスピードを向上させる木炭用着火装置を提供する。【解決手段】上部に着火用ガスバーナー装置２を有し、その下部に木炭を置く部材３を設けてあり、外部に空気を送りだす排気用のファン６と、着火した木炭から排出される灰を取り込む水槽５を有する。【選択図】図１
0003208632.tif 000002
【実用新案登録請求の範囲】
【請求項１】
上部に着火用のバーナーを有し、その下部に木炭を置く部材を設けてあり、外部に空気を送りだすファンと、着火した木炭から排出される灰を取り込む水槽を有する木炭用着火装置。
【請求項２】
請求項１に記載した着火用のバーナーとしては、ガスバーナーであって、その向きは下向きであることを特徴とする木炭用着火装置。
【請求項３】
請求項１に記載した外部に空気を送りだすファンとしては通常のファンでよく、このファンによってバーナーの炎を下向きにできることを特徴とする木炭用着火装置。
【請求項４】
請求項１に記載した灰を取り込む水槽としては本装置の下部に設置され、着火操作時の空気が水面をたたくことによって空気内に混入している灰を取り込むことを特徴とする木炭用着火装置。
【考案の詳細な説明】
【技術分野】
【０００１】  特に焼き肉をしたい場合、スピ―ドの早い木炭の着火はかなりのノウハウを必要とする。特に焼き肉を生業にする場合、着火した状態の炭火を即座に客に提供することが求められる。
【背景技術】
【０００２】  即座に提供するために、早急な炭起こしができない場合は前もって炭火を起こしておく必要があり、客の動向を見ながらコントロールすると言うことになるが、いずれにしろ事前に行うということになる。【０００３】  この、事前の作業によって、炭を起こす場所の問題、高温になることへの注意、またまた事前にということから生じる木炭のロスが問題であって、これを低減することが業界全体の課題であった。【０００４】  また、着火した状態で発生する木炭の灰の処理が課題で、厨房の中で炭を起こし、そこから出る灰が空中を舞って食材に付着することは避けたい。
【課題を解決する手段】
【０００５】  着火した炭から生じる灰は通常の場合は上に飛散する。これが空中を漂うことによって食材を汚したり、食器などを汚したりするが、これを避けるために、発生する灰を水で捕獲すればよいと考えることができる。
【０００６】  着火した炭からは通常は自動的に上昇気流を発生するが、これに対して下降気流を強制的に付与することによって灰の飛散を下に向けることができる。
【０００７】  下降気流を使うので、着火用の火種であるガスバーナーは炭の上部に設置し、発生する炎の方向を下に向ける。その炎の先に炭が置かれることになる。従って上部の炭から起こされることになり、徐々に下に伝達されることになる。
【０００８】  このようにして起こされた炭から発生する灰はこの下降気流に乗って下向きに移動する。ここに水面があれば下降気流が水面をたたくことによってここで灰は水に取り込まれ、外部には出ていかないことが期待できる。
【０００９】  下降気流を発生させる方法は、木炭用着火装置の下部に取り付けられたファンであり、これを回転させることによって気流を発生させる。
【００１０】  起こされた炭の熱によって、周辺部分が過熱されることが考えられるが、炭を保持する容器の周辺に隙間を作っておくことによってこの隙間にも空気の流れが生じるので、これにより熱が奪われて、周辺部分の異常な温度上昇を抑制することができるので、作業の安全性を向上させることができる。
【００１１】  気流の流れるパスは閉回路になっており、上部より取り込んだ空気はすべてファンから排出され、汚れ物質は周辺には出ないので汚すことがない。
【００１２】  具体的には、２の着火用ガスバーナー装置で炎を発生させる。この場合、炎の向きは下向きであって、それは６の排気用ファンの駆動によってそれが実現される。
【００１３】  ２で発生した炎は３の容器内におかれた炭に到達するので、火起こしが開始される。そこで発生した灰は、下降気流に乗って４の筒を通って下に運ばれる。
【００１４】  この下降気流は５の水槽に到達し、水槽に半ば張られた水面をたたく。その際に気流の中にあった灰は水に取り込まれることになる。
【００１５】  気流は水面を這い、やがて６の排気用ファンよって外部に排出されることになる。
【考案の効果】
【００１６】  炭への着火後に全体が起きるまでの時間は、放置状態ではかなり長くなる。これを早くするために古くはうちわなどを使用することが行われてきた。しかしこの方法では、灰が散布されてしまい、食材が汚れたりする不都合があった。この木炭用着火装置を使用することによって、灰を水で捕集することができることから、灰の外部への飛散が抑制され、厨房の清潔性が保たれるようになった。
【００１７】  また、このような強制的な下降気流によって、着火および炭全体への火の回りが早くなり、効率よく火起こしができることから、客への提供がスムーズにできることによるサービスの向上と共に、前もって火起こしをしておく必要がないために、炭の消費量も著しく削減することが可能になった。
【実施例１】
【００１８】  本装置を用いたところ、従来の方法では完全な火起こしの時間が１０分以上必要だったが、わずか３分で達成できた。
【図面の簡単な説明】
【００１９】
【図１】は、木炭用着火装置。
【符合の説明】
【００２０】１  制御用パネル
２  着火用ガスバーナー装置
３  着火する炭の設置場所
４  下降気流を通過させる筒
５  水槽
６  排気用のファン
【図１】
0003208632.tif 000003
(57)【要約】      （修正有）【課題】外部より容易に背景画像を差し替えることができる飾りケースを提供する。【解決手段】飾りケース背面外側の上下部分に爪型の形状を設け、いろいろな状況に応じて随時、背景画像を爪の隙間に差し込むことで容易に差し替え可能とする。【選択図】図１
0003208636.tif 000002
【実用新案登録請求の範囲】
【請求項１】
ケース背面外側の上下部分を爪型の形状とし、背景画像を容易に差し替えできる飾りケース。
【考案の詳細な説明】
【技術分野】
【０００１】
本発明は、飾りケースの背景画像をケースを開けることなく、臨機応変に外部より差替え可能にした飾りケースに関するものである。
【背景技術】
【０００２】
従来は、飾りケースの内側に背景画像を張り付けるなどしているため、背景画像を差替えるにはその都度ケースを開いて差し替えていた。
【先行技術文献】
【特許文献】
【０００３】
【特許文献１】特開2000-325187  飾りケース、実登3054418  飾りケース
【考案の概要】
【考案が解決しようとする課題】
【０００４】
従来の飾りケースで背景画像を差し替えるには、前扉が開閉式では内部に配置した飾り物を取り出してから背景画像を差し替える必要があった。またはケース脱着式ではケースを完全に取り外してから背景画像を差し替える必要があった。本発明は以上の問題点を解決するために外部より容易に背景画像を差し替えられるよう考案されたものである。
【課題を解決するための手段】
【０００５】
飾りケース背面外側の上下部分を画像シート保持するため、爪状に加工する。
【考案の効果】
【０００６】
背景画像を差し替えるために、前扉が開閉式では内部に配置した飾り物を取り出してから背景画像を差し替えたり、またはケース脱着式ではケースを完全に取り外してから差し替える必要があった。本発明は外部より容易に背景画像を差し替えられるので、いろいろな状況に臨機応変に差替えが可能である。
【図面の簡単な説明】
【０００７】
【図１】正面図
【図２】背面図
【図３】左側面図
【図４】右側面図
【図５】平面図
【図６】底面図
【図７】使用参考図--正面1
【図８】使用参考図--正面2
【図９】使用参考図--背面1
【図１０】使用参考図--背面2
【考案を実施するための形態】
【０００８】
飾りケース背面外側の上下部分に設けられた爪状の隙間に、差し替えたい背景画像を差し込む。
【実施例】
【０００９】
図７，８，９，１０使用参考図のとおり。
【産業上の利用可能性】
【００１０】
飾りケースは透明なプラスチックなどで製造する。
【図１】
0003208636.tif 000003
【図２】
0003208636.tif 000004
【図３】
0003208636.tif 000005
【図４】
0003208636.tif 000006
【図５】
0003208636.tif 000007
【図６】
0003208636.tif 000008
【図７】
0003208636.tif 000009
【図８】
0003208636.tif 000010
【図９】
0003208636.tif 000011
【図１０】
0003208636.tif 000012
(57)【要約】      （修正有）【課題】一人寝の時に一人でこむら返り状態を改善できる器具を提供する。【解決手段】両端が輪になった帯であって、こむらがえりになった足にすべり止めのついた方の輪を引っ掛け、握りやすい方の輪を手で引っ張りアキレス腱を伸ばして、痛みを和らげる。【選択図】図２
0003208426.tif 000002
【実用新案登録請求の範囲】
【請求項１】
こむら返りになった足に両端が輪になった帯を装着し手前に引っ張る事でアキレス腱を伸ばし痛みを和らげる器具。
【考案の詳細な説明】
【技術分野】
【０００１】夜寝ている時に足がこむらがえり（足がつる）起こった時に改善方法が設けられたものである。
【背景技術】
【０００２】こむら返りは、ふくらはぎの筋肉の痙攣（けいれん）が主な要因だとされている。
中高年層に多く、昼間も発生するが、特に夜寝ている時に無意識に足を伸ばした時などによく発生した時はすごく痛く辛いものである。
その時に緊急対処をすれば楽である。【０００３】こむらがえりになった時の筋肉の状態を正常に戻すには、その逆の方向へ戻すのが一番の対処法になる。【０００４】近くに人がいれば、頼んでふくらはぎを伸ばして貰えば改善されるが、一人の時に発生した場合困る。それを解決する課題である。
【先行技術文献】
【特許文献】
【０００５】
【特許文献１】特開２００１−１４５６７５
【特許文献２】特開２０１０−２６４１０８
【考案の概要】
【考案が解決しようとする課題】
【０００６】この考案は、一人寝の時又は隣の睡眠人を起こすこと無くひとりでこむら返り状態を改善できる工夫を提供することを課題とする。
【課題を解決するための手段】
【０００７】手持ち部分と足かけ部分を輪状にした構造が簡単で安価な帯であること。
【考案の効果】
【０００８】ひとりで居る時、こむら返りになった時、滑り止めのついた方の輪を足のつま先にかけてもう一方の輪を手前に引く事で痛みが和らげる効果が容易に得られること。
【図面の簡単な説明】
【０００９】
【図１】器具
【図２】装着図
【図３】使用図
【考案を実施するための形態】
【０００１０】すべり止めのついた輪と、もう片方は握りやすい輪になった帯。
【実施例】
【０００１１】こむらがえりになった足にすべり止めのついた方の輪を取り付けて、もう一方の握りやすい方の輪を引っ張る。
【図１】
0003208426.tif 000003
【図２】
0003208426.tif 000004
【図３】
0003208426.tif 000005
(57)【要約】      （修正有）【課題】ボトル容器からノズル本体を完全に取り外しすることなく注入口を拡大し詰め替え用液体商品をスムースにスプレー容器に注入できるスプレーボトルを提供する。【解決手段】スプレーボトル内に収納されるノズル本体に、逆円錐形に成型されるとともに円錐側面を中心線方向に収縮させて底面の注入口面積を拡大又は縮小させる手段を有する漏斗１を接合する。【選択図】図４
0003208429.tif 000002
【実用新案登録請求の範囲】
【請求項１】
スプレーボトル内に収納されるノズル本体に、逆円錐形に成型され円錐側面を中心線方向に収縮させる手段をもたせることにより底面の面積を拡大又は縮小させる手段を有する漏斗を接合させたことを特徴とするスプレーボトル。
【考案の詳細な説明】
【技術分野】
【０００１】詰め替え用液体をスムーズにスプレー容器に注入可能にする物品を提供する。
【背景技術】
【０００２】従来、スプレー容器に消臭剤、芳香剤、塩素系薬品、液体石鹸等の詰め替え用液体商品をスプレー容器に注入・補充するときはスプレーボトルから取付けキャップを回してノズル本体を取り外しボトルの上部注入口から詰め替え用液体を注入又は漏斗を使用して注入する方法が一般的である。この場合、ノズル本体をボトルから完全に取り外しするため給水管内に残っていた液体がこぼれテーブル等をよごしふきとりの手間が生じる又、漏斗を使用した場合にも注入後漏斗の置き場所により同じことが発生する。
【先行技術文献】
【特許文献】
【０００３】
【特許文献１】  特開平１０−２８９０８公報特許文献ではボトルの胴体上部に別途注入口を設けた例が開示されているが、これでは詰め替え液体商品の注入量が減りまたボトルキャップを紛失すれば使用不可となる。デザイン的に見た目が不細工で金型が複雑になり製造コストも高くなる。
【考案の概要】
【考案が解決しようとする課題】
【０００４】ボトル容器からノズル本体を完全に取り外しすることなく注入口を拡大し詰め替え用液体商品をスムーズにスプレー容器に注入する手段を提供する事である。
【課題を解決するための手段】
【０００５】スプレーボトルを通常に使用するときはスプレー容器の中に収納しており詰め替え用液体商品を注入するときノズル本体を完全に取り外すことなく少し上に上げるとボトル内部のホースに固定された可変注入口が広がり注入面積を拡大させることを特徴とするスプレーボトル
【考案の効果】
【０００６】これにより漏斗の必要も無く又、給水管内にのこっていた液体がテーブル等を汚すことも無く詰め替え用液体商品を注入出来る。
【図面の簡単な説明】
【０００７】
【図１】スプレーボトル通常使用状態で可変注入口がスプレー容器内部に収まった状態の図である。
【図２】可変注入口の詳細図である。
【図３】ノズル本体を完全に取り外すことなく少し上に上げ可変注入口が拡大した状態の図である。
【図４】スプレー容器に詰め替え用液体商品を注入するときの図である。
【考案を実施するための形態】
【０００８】上記目的を達成するために、本考案における可変注入口付スプレーボトル（図１）をスプレー容器内に（図１：１）可変注入口部品を（図１：４）給水管に取り付け落下防止するため（図１：３）可変注入口固定部品で固定する。
可変注入口部品は（図２：１）と（図２：３）は１／２固定で１／２部分に可変に必要な切欠きがあり詰め替え用液体商品を流入させる穴（図２：２）と同じ効果をもたらす。
このような形で（図１：１）可変注入口部品を設けることで、（図３：６）キャップボトルを回し（図３：９）ノズル本体を上に動かすことにより（図３：１）可変注入口部品が同時に動き注入面積が拡大し（図４：１０）詰め替え用液体商品の注入をスムーズに行うことが可能になる。
漏斗は、頂点部分を固定部として、側面部材が螺旋状又は襞状に収納される。
【産業上の利用可能性】
【０００８】本考案は、詰め替え用液体商品を必要とするスプレーボトル等に使用するものである。
【産業上の利用可能性】
【０００９】  １：可変注入口部品
２：詰め替え用液体流入部分
３：可変注入口固定部品
４：給水管
５：スプレー容器
６：取り付けキャップ
７：ノズルレバー
８：ノズル
９：ノズル本体
１０：詰め替え用液体商品
【図１】
0003208429.tif 000003
【図２】
0003208429.tif 000004
【図３】
0003208429.tif 000005
【図４】
0003208429.tif 000006
(57)【要約】      （修正有）【課題】木、石、貝殻、サンゴ等の自然物と、水槽を組み合わせた鑑賞用水槽を提供する。【解決手段】観賞用水槽１は、自然物２と、前記自然物の略形状に合わせた凹部４を有する水槽３からなるものである。自然物２は、木、石、貝殻およびサンゴからなる自然物の１種以上であり、木が好ましく、流木がより好ましい。また、自然物２の接地面は水槽３と組み合わせて観賞用水槽１とした際に安定であれば特に加工しなくてもよいが、不安定であれば自然物２の接地面は平らに加工しておく。【選択図】図１
0003208414.tif 000002
【実用新案登録請求の範囲】
【請求項１】
木、石、貝殻およびサンゴからなる自然物の１種以上と、前記自然物の略形状に合わせた凹部を有する水槽とを組み合わせたことを特徴とする観賞用水槽。
【請求項２】
自然物が接地し、水槽は接地しないものである請求項１記載の観賞用水槽。
【請求項３】
凹部が、自然物の一部分の略形状である請求項１または２記載の観賞用水槽。
【請求項４】
凹部が、水槽の一部分である請求項１〜３の何れかに記載の観賞用水槽。
【請求項５】
水槽がガラス製である請求項１〜４の何れかに記載の観賞用水槽。
【考案の詳細な説明】
【技術分野】
【０００１】  本考案は、木、石、貝殻、サンゴ等の自然物と、水槽とを組み合わせた観賞用の水槽に関するものである。
【背景技術】
【０００２】  これまで観賞用の水槽としては、水槽の内部に自然環境等を再現するために、木、石、貝殻、サンゴ等の自然物を水槽内に設置することが行われていた。また、自然物ではなく、装飾用の造形物を水槽内に設置することも行われている（特許文献１参照）。
【先行技術文献】
【特許文献】
【０００３】
【特許文献１】  実用新案登録第３１０９５９２号
【考案の概要】
【考案が解決しようとする課題】
【０００４】  しかし、上記自然物や装飾物を水槽内に設置すると水質に影響を及ぼしたり、コケ等が付着して汚くなることが多い。そのため、自然物を上手に水槽と組み合わせ、上記問題が生じないものを開発することを課題とした。
【課題を解決するための手段】
【０００５】  本考案は、自然物を水槽の中に入れるのではなく、木、石、貝殻およびサンゴからなる自然物の１種以上と、前記自然物の形状に合わせて凹部を作製した水槽とを組み合わせることにより、上記課題を解決している。【０００６】  すなわち本考案は、木、石、貝殻およびサンゴからなる自然物の１種以上と、前記自然物の形状に合わせて凹部を作製した水槽とを組み合わせたことを特徴とする観賞用水槽である。
【考案の効果】
【０００７】  本考案は、自然物を上手に水槽と組み合わせることにより、自然物や装飾物を水槽内に設置した場合の、水質に影響を及ぼしたり、コケ等が付着して汚くなることなどの問題が生じることがない。また、水槽に自然物の凹部を有することから、その凹部を透して自然物が透けて見えたり、凹部の形状が光を乱反射して水槽の中が独特の雰囲気となるため、インテリアとして好ましい。
【図面の簡単な説明】
【０００８】
【図１】本考案を具体化した図面である。
【図２】本考案の一実施例を示す写真である。
【考案を実施するための形態】
【０００９】  以下、本考案を具体化した図面を参照しながら詳細に説明する。観賞用水槽１は、図１に示すように観賞用水槽１は、自然物２と、前記自然物の略形状に合わせた凹部４を有する水槽３からなるものである。
【００１０】  自然物２は、木、石、貝殻およびサンゴからなる自然物の１種以上であり、木が好ましく、流木がより好ましい。また、上記自然物２の接地面は水槽３と組み合わせて観賞用水槽１とした際に安定であれば特に加工しなくてもよいが、不安定であれば自然物２の接地面は平らに加工しておくことが好ましい。
【００１１】  水槽３は、前記自然物の略形状に合わせた凹部４を有する。水槽３の原料としては、樹脂、ガラス等が挙げられ、好ましくはガラスである。また、水槽３の原料は、透明または半透明が好ましい。この原料を用いて水槽３を成型する際に、原料が溶融状態または半溶融状態の時に上記自然物に押し当て、水槽３の全部、好ましくは一部分に、自然物の略形状の全部、好ましくは自然物の一部分の略形状に該当する凹部４を作製する。
【００１２】  上記した自然物２に、水槽３の凹部４をはめ込み観賞用水槽１とする。この観賞用水槽１において自然物２と水槽３の両方が接地していても構わないが、自然物２が接地し、水槽３は接地しないことが好ましい。
【００１３】  観賞用水槽１には、自然物２に水槽３が複数配置されてもよい。
【実施例】
【００１４】実施例１
流木（３０ｃｍ×１０ｃｍ）の下半分を接地面とするため、平らに加工した。この流木の非接地面の一部に、２０ｃｍ程度の球形にした吹きガラスを熱い状態で押しつけた後、冷却し、ガラスに流木の非接地面の略形状の凹部を形成した。吹きガラスの上部を切り取り、流木の非接地面の略形状の凹部を有する水槽を作製した。流木にこの水槽の凹部をはめ込み観賞用水槽を作製した（図２）。この観賞用水槽は流木が土台となっているため、水槽は接地していない。
【符号の説明】
【００１５】１  観賞用水槽
２  自然物
３  水槽
４  自然物の略形状に合わせた凹部
５  接地面
【図１】
0003208414.tif 000003
【図２】
0003208414.tif 000004
(57)【要約】      （修正有）【課題】湯たんぽや電気器具を使用せずに、足の指先が温かくなり、体も温かくなることが可能なくつ下を提供する。【解決手段】くつ下４は、かかと６を二つに折り曲げ、折り曲げた先端７をくつ下の底面５に固定する。これにより、かかと部分に挿通孔長尺帯９を通す。そして、使用時は、くつ下４をはき、長尺帯９の先端を左右の手で持ち上げて足首の所でくつ下４の上から面ファスナー１０で長尺帯９の両端を固定する。【選択図】図２
0003208418.tif 000002
【実用新案登録請求の範囲】
【請求項１】
つま先からかかとを覆う本体と、つま先からかかとに向かう方向と直交する方向に延び中間部分が本体とかかとを覆う位置に固定され両端が互いに連結できる長尺帯は、使用状態において、試用者の足首に巻かれた状態で互いに連結されているくつ下。
【考案の詳細な説明】
【技術分野】
【０００１】  本考案は、くつ下に関する。
【背景技術】
【０００２】  冷え症の人は、寒い季節は一般の人より足の指は冷たくて、特に指先は氷のように冷たいのである。このために、湯たんぽや電気毛布や電気敷布を用いて寝るのである。
【考案の概要】
【考案を解決する課題】
【０００３】  しかし、湯たんぽは湯の温度は下がる。又電気器具類を使用して寝るのは体に良くないと言われている。したがって、本考案は、湯たんぽや電気器具を使用せずに、足の指先が温かくなり、体も温かくなることが可能なくつ下を提供することを目的とする。
【課題を解決するための手段】
【０００４】  つま先から６のかかとを覆う４の本体と、つま先から６のかかとに向かう方向と直交する方向に延び中間部分が４の本体と６のかかとを７の覆う位置に固定され両端が互いに連結できる８の長尺帯は、使用状態において、試用者２の足首に巻かれた状態で互いに４のファスナーで連結されているくつ下。
【考案の効果】
【０００５】  くつ下の足首より先端から前面がピンと張って足の指は曲がるようになる。この状態で足首と指先の上下の動作をくり返すことにより、足の指先とくつ下の摩擦によって、指先は温まり、同時に体全体が暖まるのである。
したがって、湯たんぽや電気器具を使用せずに、足の指先が温かくなり、体も温かくなるくつ下を提供できる。
【図面の簡単な説明】
【０００６】
【図１】  右足を示す図である。
【図２】  左足に本考案の実施形態に係るくつ下をはいた状態を示す図である。
【図３】  本考案の実施形態に係るくつ下底面である。
【考案を実施するための形態】
【０００７】  つま先から６のかかとを覆う４の本体と、つま先から６のかかとに向かう方向と直交する方向に延び中間部分が４の本体と６のかかとを７の覆う位置に固定され両端が互いに連結できる８の長尺帯は、使用状態において、試用者２の足首に巻かれた状態で互いに４のファスナーで連結されているくつ下。
本考案のくつ下４は、かかと６を二つに折り曲げ、折り曲げた先端７をくつ下の底面５に固定する。これにより、かかと部分に挿通孔長尺帯９を通す。そして、使用時は、くつ下４をはき、長尺帯９の先端を左右の手で持ち上げて図２に示すように、足首の所でくつ下４の上から面ファスナー１０で長尺帯９の両端を固定する。
【符号の説明】
【０００８】  １  足
２  足首
３  指
４  くつ下
５  くつ下の底面
６  かかと
７  折り曲げた先端
８  長尺帯
９  面ファスナー
【図１】
0003208418.tif 000003
【図２】
0003208418.tif 000004
【図３】
0003208418.tif 000005
(57)【要約】      （修正有）【課題】使用者及び医療従事者にとって安全かつ容易に装着可能となり、また、カバーのずれを防止し、握り易さが改善できる松葉杖カバーを提供する。【解決手段】カバーの素材は、カバーを装着する部分の長さと太さに合わせた矩形の平面状の弾性体１であり、カバーと装着部分との当接面に、少なくとも１ヶ所の摺動抑制材３を有し、被装着物の取り付け可能となる場所に、少なくとも１ヶ所の係止材２を有する。【選択図】図４
0003208416.tif 000002
【実用新案登録請求の範囲】
【請求項１】
平面状の弾性体を使用した松葉杖カバー。
【請求項２】
松葉杖とカバーの当接面に、摺動抑制材を少なくとも1ケ所以上有する請求項１記載の松葉杖カバー。
【請求項３】
係止材を少なくとも1ケ所以上有する請求項2記載の松葉杖カバー。
【考案の詳細な説明】
【技術分野】
【０００１】
本考案は、医療分野の考案に関するものである。
【背景技術】
【０００２】
従来の松葉杖は、脇当部及び把持部に、既成のゴム又はプラスチックにて構成される当て物があるが、長期間使用にて脇部や手掌部の発赤やただれを起こしたり、疼痛が出現したりし、使用しづらいものだった。
【先行技術文献】
【特許文献】
【０００３】
【特許文献１】特開２００５−３２６６６１
【特許文献２】実願  ２００７−１１５７
【考案の概要】
【考案が解決しようとする課題】
【０００４】
従来の松葉杖は、脇当部及び把持部が、ゴム又はプラスチックにて構成され、長期間使用することにより、脇部や手掌部の発赤やただれを起こしたり、疼痛が出現したりしたため、使いづらさを感じていた。問題を解決するために、医療従事者が包帯などを巻きなおして使用していたため、これらは非常に時間と手数のかかる作業だった。また、既成の松葉杖カバーは、前後・回転のずれを生じ、使用しづらいものだった。そして、カバーが無いことで、脇当部・把持部の素材の摩耗や破損が激しかった。
【課題を解決するための手段】
【０００５】
長期間使用しても負担がかからない材質を選択し、松葉杖カバーを作成した。また、カバーの前後・回転のずれを防ぐため、摺動抑制材を取り付けた。そして、医療従事者の負担を軽減するために、容易に装着可能できるカバーを提供した。
【考案の効果】
【０００６】
適度な厚さと弾力性のある素材を使用することにより、長期間使用しても、脇部や手掌部に負担のかからない松葉杖カバーとなった。また、松葉杖とカバーの当接面に摺動抑制材を取り付けることにより、カバーが前後・回転などのずれがなくなり、握りやすさが改善された。そして、松葉杖カバーに、少なくとも１ケ所以上の係止材を取り付けたことにより、使用者及び医療従事者が安全かつ容易に装着でき、使用することができた。
本考案の松葉杖カバーを使用することにより、脇当部・把持部のゴムなどの素材の摩耗や破損を軽減できた。
【図面の簡単な説明】
【０００７】
【図１】脇当部のカバーの上面頂部に摺動抑制材を取り付け、さらに、係止材として面テープを取り付けた図。
【図２】脇当部のカバーの上面頂部に摺動抑制材を取り付け、さらに、係止材としてボタンを２ケ所に取り付けた図。
【図３】矩形に裁断した素材に、内側上面頂部に摺動抑制材取り付け、さらに、係止材として紐状布を取り付けた脇当部のカバーの図。
【図４】摺動抑制材を、長辺の一方に厚さを変化させて取り付け、さらに、係止材として面テープを取り付けた把持部のカバーの内側面の図
【図５】摺動抑制材を、内側面中央に取り付け、係止材を紐状布とした把持部のカバーの図
【図６】内側面２ケ所に摺動抑制材を取り付け、さらに、係止材として面テープを取り付けた把持部のカバーの図。
【図７】松葉杖に、袋状に縫製した脇当部のカバーと、面テープを取り付けた把持部のカバーを装着した図。
【図８】図３の矩形に縫製した素材に、紐状布を使用した脇当部のカバーと、図５の内側面中央に摺動抑制材と紐状布を使用した把持部のカバーを取り付けた図。
【考案を実施するための形態】
【０００８】
図1の脇当部のカバーは、脇当部の長さと太さに合わせ、矩形に裁断した平面状の弾性体を袋状に縫製し、係止材として面テープを中央に取り付けた。カバーのずれを防ぐため、内側の上面頂部に摺動抑制材を取り付けた。      
【０００９】
図２の脇当部のカバーは、脇当部の長さと太さに合わせ、矩形に裁断した平面状の弾性体を袋状に縫製し、係止材としてボタンを２ケ所に取り付けた。ボタンの取り付けは中央に１ケ所でもよい。カバーのずれを防ぐため、内側の上面頂部に摺動抑制材を取り付けた。
【００１０】
図３の脇当部のカバーは、矩形に裁断した平面状の弾性体に、係止材として紐状布を、四方の端に取り付けた。カバーのずれを防ぐため、内側の上面頂部に摺動抑制材を取り付けた。
【００１１】
図４の把持部のカバーは、把持部の長さと太さに合わせ、矩形に裁断した平面状の弾性体の四方の端に面ファスナーを、把持部の後方に段差を付けた摺動抑制材を取り付けた図。
【００１２】
図５の把持部のカバーは、摺動抑制材を内側面中央に、係止材を紐状布として取り付けた。把持部形態が様々で、太鼓型やストレート型などがあるが、特にストレート型に対し、摺動抑制材を内側面中央に取り付けると、摺動抑制効果が高まる。
【００１３】
図６の把持部のカバーは、内側面２ケ所に摺動抑制材を、係止材として面テ−プを取り付けた。内側面２ケ所に摺動抑制材を使用することにより、摺動抑制効果が高まる。
【００１４】
図７は、松葉杖に、袋状に縫製した脇当部のカバーと、面テープを取り付けた把持部のカバーを装着した。カバーを固定する係止材は、面テープ、ボタン、スナップボタンでもよい。
【００１５】
図８は矩形に縫製し、摺動抑制材を内側上頂部に、紐状布を四方の端に使用した脇当部のカバーと、摺動抑制材を内側面中央に、紐状布を四方の端に使用した把持部のカバーを取り付けた。松葉杖の脇当部・把持部の形態により、紐状布を内側に結んでも、外側に結んでもよい。
【符号の説明】
【００１６】
１  平面状の弾性体
２  係止材
３  摺動抑制材
４  松葉杖
５  脇当部にカバーを装着した図
６  把持部にカバーを装着した図  
【図１】
0003208416.tif 000003
【図２】
0003208416.tif 000004
【図３】
0003208416.tif 000005
【図４】
0003208416.tif 000006
【図５】
0003208416.tif 000007
【図６】
0003208416.tif 000008
【図７】
0003208416.tif 000009
【図８】
0003208416.tif 000010
【手続補正書】
【提出日】平成28年11月9日(2016.11.9)
【手続補正１】
【補正対象書類名】実用新案登録請求の範囲
【補正対象項目名】全文
【補正方法】変更
【補正の内容】
【実用新案登録請求の範囲】
【請求項１】
カバーの素材は、カバーを装着する部分の長さと太さに合わせた矩形の平面状の素材であり、カバーと装着部分との当接面に、少なくとも1ヶ所の摺動抑制剤を有し、被装着物の取り付け可能となる場所に、少なくとも1ヶ所の係止材を有する松葉杖カバー。
(57)【要約】      （修正有）【課題】常に利用者の姿勢や立ち位置をより男性トイレに近づける作用が働き、結果として尿の飛散を抑止できる男性トイレ用尿飛散抑止シールを提供する。【解決手段】近づかないと認視することができない文字、絵や図を印字、印刷した耐水性の高いシール１を男性トイレ設置壁面３に貼付することで、男性トイレ利用者４の興味を惹かせ、前傾姿勢や利用する立ち位置をより男性トイレ２に近づける。これにより尿の軌道が５や６のようになり、結果として尿の飛散を抑止する。【選択図】図２
0003208432.tif 000002
【実用新案登録請求の範囲】
【請求項１】
シール体の表面に極めて小さい字、絵、記号などを印刷、印字し、シール体の裏面は粘着層を設け、男性トイレの設置壁面に貼り付ける耐水性の高いシール。
【考案の詳細な説明】
【技術分野】
【０００１】  本考案は、男性トイレ利用時に利用者の姿勢をより男性トイレに近づけ、尿の飛散を抑止するためのシールに関するものである。
【背景技術】
【０００２】  従来、男性トイレをより清潔に利用を促す方式として、最適とする足の位置を示す足形の印を男性トイレの足元に示していた。しかし、この方式では利用者の体型や用を足す姿勢によっては、男性トイレとの間に空間が生まれ、尿が男性トイレの外へ飛散してしまうことがあった。
【考案の概要】
【考案が解決しようとする課題】
【０００３】  男性トイレの利用者の姿勢や利用する立ち位置によって、尿が男性トイレの外へ飛散し、トイレ内で不衛生な環境を作り出すことや、飛散した尿の清掃に時間的、労働的負担を抱えている。
【課題を解決するための手段】
【０００４】  本考案は、男性トイレの利用者が認視しやすい位置に請求項１のシールを張ることで利用者の興味を喚起し、利用者の姿勢を前かがみにしたり、立ち位置をより前進させたりする。
また、他の男性トイレで同じシールを見つけた場合にも興味を喚起する手段として、請求項１に印刷、印字する内容に種類を持たせる。
【考案の効果】
【作用】
【０００５】  請求項１のシールに興味をもった男性トイレの利用者は、男性トイレを利用する毎に請求項１の印刷、印字された内容を確認する動作をするため、常に利用者の姿勢や立ち位置をより男性トイレに近づける作用が働き、結果として尿の飛散を抑止できる。
【図面の簡単な説明】
【０００６】
【図１】男性トイレ設置壁面に貼付する請求項１のシール体である。
【図２】請求項１に興味を持った利用者の利用姿勢と尿の軌道である。
【図３】請求項１に興味を持った利用者の利用姿勢の立体図である。
【図４】請求項１を使用しない利用者の利用姿勢と尿の軌道である。
【考案を実施するための形態】
【０００７】  防水性の高いシールに利用者の興味を喚起する内容を印字、印刷し、男性トイレ利用者が認視しやすい位置に貼付する。
【０００８】  シールの形は単一ではなく、三角形、四角形、円形、星型多角形等、この世に実在するあらゆる形を使用する。
【０００９】  印字、印刷する内容を日本語に限定せず、外国語、絵や図も使用することで、子供、外国人観光客等、シールの内容を理解できる対象者の範囲をより広くする。
【符号の説明】
【００１０】  １  男性トイレ用尿飛散抑止シール
２  男性トイレ
３  男性トイレ設置壁面
４  男性トイレ利用者
５  尿
６  飛散尿
【図１】
0003208432.tif 000003
【図２】
0003208432.tif 000004
【図３】
0003208432.tif 000005
【図４】
0003208432.tif 000006
(57)【要約】      （修正有）【課題】洗いやすく、繰り返し使えるペットボトルを提供する。【解決手段】キャップ１部分と同じスクリュー式の接続部分をペットボトル本体につけ、接続部品の組み合わせで容量の増減ができる。【選択図】図１
0003208434.tif 000002
【実用新案登録請求の範囲】
【請求項１】
キャップ（１）部分と同じスクリュー式の接続部分をペットボトル本体につけ、接続部品の組み合わせで容量の増減ができることを特徴とする着脱式ペットボトル。
【考案の詳細な説明】
【技術分野】
【０００１】  本考案は、洗いやすく、繰り返し使えるペットボトルに関するものである。
【背景技術】
【０００２】  従来、ペットボトルは中を洗うことが難しかった。
また、飲料物が少なくなってもペットボトルの体積は変わらなかった。
【先行技術文献】
【特許文献】
【０００３】
【特許文献１】  特開２００２−１６０７４８号公報
【考案の概要】
【考案が解決しようとする課題】
【０００４】  そのため、次のような問題点があった。
（イ）ペットボトルの中は、洗うことが難しく、繰り返し使うとカビが発生していた。
（ロ）内容量が減少してもペットボトルの体積は変わらなく嵩張っていた。
（ハ）ペットボトルの口は狭く飲料物を入れると零してしまうことがあった。
本考案は、以上の問題点を解決するためのものである。
【課題を解決するための手段】
【０００５】  キャップ（１）と同じスクリュー式の接続部分をペットボトル本体につける。
接続部品の組み合わせで容量が増減する。
以上を特徴とする着脱式ペットボトルである。
【考案の効果】
【０００６】  外した部分から洗っていける。
接続部品を順番に外していけば小さくなる。
広口の接続部分から飲料物を簡単に入れれる。
【図面の簡単な説明】
【０００７】
【図１】本考案の断面図である。
【図２】本考案の分解した断面図である。
【考案を実施するための形態】
【０００８】  以下、本考案の実施の形態について説明する。
（イ）キャップ（１）と同じスクリュー式の接続部分を用い、ペットボトル本体を図２の      ように別ける。
（ロ）キャップ（１）以外の接続部分のスクリュー回転は逆回転である。
（ハ）キャップ以外の接続部分は、接続上部（１ａ）（２ａ）と接続下部（１ｂ）（２ｂ）がみな対であり、同じ大きさである。
（ニ）本体中部（３）（４）（５）は、同じ形の物である。
（ホ）図１、図２は２ｌ用のペットボトルの例である。
本考案は以上のような構成である。
本考案を使用するときは、飲料物が少なくなるにつれて本体中部（３）、本体中部（４）、本体中部（５）、と順番に取り外していき、飲料物が無くなれば接続部分を利用し、仲間で洗う。
本体中部（３）（４）（５）と本体下部（６）を取り付け、本体中部（３）の接続下部の広口から飲料物を入れ、キャップ（１）を付けた状態の本体上部（２）を取り付ける。
【符号の説明】
【０００９】  １    キャップ
２    本体上部
３    本体中部
４    本体中部
５    本体中部
６    本体下部
１ａ  接続上部
２ａ  接続上部
１ｂ  接続下部
２ｂ  接続下部
【図１】
0003208434.tif 000003
【図２】
0003208434.tif 000004